(57)【要約】【課題】駐車の全体経路のイメージを保有したまま、見やすい画面表示を提供し、運転者が操舵すべき内容を容易に把握することが可能となる駐車支援装置を提供する。【解決手段】駐車支援装置は、自車両周囲を複数の車載カメラ１１、１２、１３、１４で撮影し、撮影された複数の映像を繋ぎ合わせるとともに自車両の上方から見下ろした俯瞰映像を生成し、生成された俯瞰映像と、自車両を示す自車両マークと、自車両が所定の目標駐車位置４４へ後退する途中でステアリング転舵を行うための転舵位置に対応するとともに自車両の外形形状に相当する転舵枠４２、４３とをディスプレイ２２に表示させる。【選択図】図４
2012051574.tif 000002
【特許請求の範囲】
【請求項１】
自車両周囲を撮影する複数の車載カメラと、
前記複数の車載カメラで撮影された複数の映像を繋ぎ合わせるとともに前記自車両の上方から見下ろした俯瞰映像を生成する俯瞰映像生成手段と、
前記生成された俯瞰映像と、前記自車両を示す自車両マークと、前記自車両が所定の目標駐車位置へ後退する途中でステアリング転舵を行うための転舵位置に対応するとともに前記自車両の外形形状に相当する転舵枠と、を表示する表示手段と、
を備えることを特徴とする車両用駐車支援装置。
【請求項２】
前記転舵枠が前記自車両の車幅よりも広い幅を有することを特徴とする請求項１記載の駐車支援装置。
【請求項３】
前記転舵枠の形状が矩形形状であることを特徴とする請求項１又は請求項２記載の駐車支援装置。
【請求項４】
前記駐車支援装置が、前記表示手段に、前記転舵枠と前記転舵位置までの駐車軌跡線とを前記俯瞰映像上に表示させる画像処理制御手段を更に備えることを特徴とする請求項１乃至請求項３のうちいずれか１項記載の駐車支援装置。
【請求項５】
前記画像処理制御手段は、前記駐車軌跡線として、ステアリング操舵に連動した線である操舵連動線と、次に前記自車両が移動すべき前記転舵位置に至る理想的な進路予想線である理想進路予想線とを前記表示手段に表示させることを特徴とする請求項４記載の駐車支援装置。
【請求項６】
前記画像処理制御手段は、前記駐車軌跡線として、ステアリング操舵に連動したタイヤの切れ角を示すタイヤ切れ角連動線と、次に前記自車両が移動すべき前記転舵位置に至る理想的なタイヤの切れ角を示す理想タイヤ切れ角線とを前記表示手段に表示させることを特徴とする請求項４又は請求項５記載の駐車支援装置。
【請求項７】
前記画像処理制御手段は、
前記自車両のシフト信号がリバース以外であり、車速ＶがＶ＞０の場合には、次に前記自車両が移動すべき前記転舵位置の前記転舵枠と、ステアリング操舵に連動した駐車軌跡線とを前記表示手段に表示させ、車速ＶがＶ＝０の場合には、次に前記自車両が移動すべき前記転舵位置の前記転舵枠と、ステアリング操舵に連動した駐車軌跡線と、前記目標駐車位置の枠線とを前記表示手段に表示させ、
前記自車両のシフト信号がリバースであり、車速ＶがＶ＞０の場合には、次に前記自車両が移動すべき前記転舵位置の前記転舵枠と、ステアリング操舵に連動した駐車軌跡線とを前記表示手段に表示させ、車速ＶがＶ＝０の場合には、次に前記自車両が移動すべき前記転舵位置の前記転舵枠と、操舵指示の駐車軌跡線と、前記目標駐車位置の枠線とを前記表示手段に表示させること
を特徴とする請求項４乃至請求項６のうちいずれか１項記載の駐車支援装置。
【請求項８】
前記画像処理制御手段は、車速ＶがＶ＝０からＶ＞０に遷移して前記自車両が移動を開始した場合には、前記目標駐車位置の枠線を前記表示手段に所定時間だけ表示させた後、消去することを特徴とする請求項７記載の駐車支援装置。
【請求項９】
前記画像処理制御手段は、前記目標駐車位置の枠線を、当該自車両の車幅と同幅で前記表示手段に表示させることを特徴とする請求項４乃至請求項８のうちいずれか１項記載の駐車支援装置。
【請求項１０】
前記画像処理制御手段は、次に前記自車両が移動すべき前記転舵位置に当該自車両が近付くにしたがって、前記駐車軌跡線のうち、ステアリング操舵に連動した線である操舵連動線の長さを短くして前記表示手段に表示させることを特徴とする請求項４乃至請求項９のうちいずれか１項記載の駐車支援装置。
【請求項１１】
前記画像処理制御手段は、次に前記自車両が移動すべき前記転舵位置又は前記目標駐車位置に当該自車両が近付いている旨を音又は映像以外の手段によって運転者に報知させることを特徴とする請求項４乃至請求項１０のうちいずれか１項記載の駐車支援装置。
【請求項１２】
前記画像処理制御手段は、前記駐車軌跡線を表現するマークを、前記自車両の前進時と後退時とで異なるように前記表示手段に表示させることを特徴とする請求項４乃至請求項１１のうちいずれか１項に記載の駐車支援装置。
【請求項１３】
自車両周囲を複数の車載カメラで撮影する撮影工程と、
撮影された複数の映像を繋ぎ合わせるとともに前記自車両の上方から見下ろした俯瞰映像を生成する俯瞰映像生成工程と、
生成された俯瞰映像と、前記自車両を示す自車両マークと、前記自車両が所定の目標駐車位置へ後退する途中でステアリング転舵を行うための転舵位置に対応するとともに前記自車両の外形形状に相当する転舵枠と、を表示手段に表示する表示工程と、
を備えることを特徴とする車両用駐車支援方法。
【請求項１４】
自車両を所定の目標駐車位置に駐車させるために運転者に操作の支援となる情報を提示する駐車支援装置において、
前記自車両周囲の映像を撮像する複数の撮像手段と、
前記複数の撮像手段によって撮像された映像に基づいて、前記自車両の真上から撮像した映像に視点変換した俯瞰映像を生成し、生成した前記俯瞰映像上に、前記自車両を示す自車両マークと、前記目標駐車位置に自車両を誘導するための駐車軌跡のうち、駐車の各段階毎に、次に前記自車両が移動すべき目標の停車位置に対応するとともに前記自車両の外形形状に相当する枠線と、当該停車位置までの駐車軌跡線とを所定の表示手段に表示させる画像処理制御手段と
を備えることを特徴とする駐車支援装置。
【請求項１５】
前記画像処理制御手段は、前記駐車軌跡線として、ステアリング操舵に連動した線である操舵連動線と、次に前記自車両が移動すべき目標の停車位置に至る理想的な進路予想線である理想進路予想線とを前記表示手段に表示させることを特徴とする請求項１４記載の駐車支援装置。
【請求項１６】
前記画像処理制御手段は、前記駐車軌跡線として、ステアリング操舵に連動したタイヤの切れ角を示すタイヤ切れ角連動線と、次に前記自車両が移動すべき目標の停車位置に至る理想的なタイヤの切れ角を示す理想タイヤ切れ角線とを前記表示手段に表示させることを特徴とする請求項１４記載の駐車支援装置。
【請求項１７】
前記画像処理制御手段は、
前記自車両のシフト信号がリバース以外であり、車速ＶがＶ＞０の場合には、次に前記自車両が移動すべき目標の停車位置と、ステアリング操舵に連動した駐車軌跡線とを前記表示手段に表示させ、車速ＶがＶ＝０の場合には、次に前記自車両が移動すべき目標の停車位置の枠線と、ステアリング操舵に連動した駐車軌跡線と、前記目標駐車位置の枠線とを前記表示手段に表示させ、
前記自車両のシフト信号がリバースであり、車速ＶがＶ＞０の場合には、次に前記自車両が移動すべき目標の停車位置の枠線と、ステアリング操舵に連動した駐車軌跡線とを前記表示手段に表示させ、車速ＶがＶ＝０の場合には、次に前記自車両が移動すべき目標の停車位置の枠線と、操舵指示の駐車軌跡線と、前記目標駐車位置の枠線とを前記表示手段に表示させること
を特徴とする請求項１４乃至請求項１６のうちいずれか１項記載の駐車支援装置。
【請求項１８】
前記画像処理制御手段は、車速ＶがＶ＝０からＶ＞０に遷移して前記自車両が移動を開始した場合には、前記目標駐車位置の枠線を前記表示手段に所定時間だけ表示させた後、消去することを特徴とする請求項１７記載の駐車支援装置。
【請求項１９】
前記画像処理制御手段は、次に前記自車両が移動すべき目標の停車位置の枠線を、当該自車両の車幅よりも広い幅で前記表示手段に表示させ、前記目標駐車位置の枠線を、当該自車両の車幅と同幅で前記表示手段に表示させることを特徴とする請求項１４乃至請求項１８のうちいずれか１項記載の駐車支援装置。
【請求項２０】
前記画像処理制御手段は、次に前記自車両が移動すべき目標の停車位置が前記目標駐車位置である場合には、当該目標駐車位置に前記自車両が近付いたときに、前記表示手段に表示されている当該目標駐車位置の枠線を消去することを特徴とする請求項１４乃至請求項１９のうちいずれか１項記載の駐車支援装置。
【請求項２１】
前記画像処理制御手段は、次に前記自車両が移動すべき目標の停車位置に当該自車両が近付くにしたがって、前記駐車軌跡線のうち、ステアリング操舵に連動した線である操舵連動線の長さを短くして前記表示手段に表示させることを特徴とする請求項１４乃至請求項２０のうちいずれか１項記載の駐車支援装置。
【請求項２２】
前記画像処理制御手段は、次に前記自車両が移動すべき目標の停車位置又は前記目標駐車位置に当該自車両が近付いている旨を音又は映像以外の手段によって運転者に報知させることを特徴とする請求項１４乃至請求項２０のうちいずれか１項記載の駐車支援装置。
【請求項２３】
前記画像処理制御手段は、前記駐車軌跡線を表現するマークを、前記自車両の前進時と後退時とで異なるように前記表示手段に表示させることを特徴とする請求項１４乃至請求項２２のうちいずれか１項に記載の駐車支援装置。
【請求項２４】
自車両を所定の目標駐車位置に駐車させるために運転者に操作の支援となる情報を提示する駐車支援方法において、
前記自車両周囲の映像を撮像する複数の撮像手段によって撮像された映像に基づいて、前記自車両の真上から撮像した映像に視点変換した俯瞰映像を生成する俯瞰映像生成工程と、
前記俯瞰映像生成工程にて生成された前記俯瞰映像上に、前記自車両を示す自車両マークと、前記目標駐車位置に自車両を誘導するための駐車軌跡のうち、駐車の各段階毎に、次に前記自車両が移動すべき目標の停車位置に対応するとともに前記自車両の外形形状に相当する枠線と、当該停車位置までの駐車軌跡線とを所定の表示手段に表示させる表示工程と
を有することを特徴とする駐車支援方法。
【発明の詳細な説明】
【技術分野】
【０００１】
本発明は、車両を所定の目標駐車位置に駐車させるために運転者に操作の支援となる情報を提示する駐車支援装置及び駐車支援方法に関する。
【背景技術】
【０００２】
自車両を所定の駐車領域に位置させるために運転者に操作の支援となる情報を提示する駐車支援装置が開発されている。例えば、特許文献１に記載の駐車補助装置は、自車両の側方及び後方に取り付けられたカメラ装置の映像を、あたかも自車両の真上に取り付けられたカメラ装置によって撮像したような俯瞰映像に視点変換し、その俯瞰映像上に、駐車を行う際の後退開始位置、目標駐車位置、途中で切り返すための駐車途中位置、ステアリング操舵に連動した線である操舵連動線、及び目標駐車位置に至る理想的な進路予想線（以下、理想進路予想線という。）を明示することにより、車両を適切に目標駐車位置に誘導可能とするものである。
【先行技術文献】
【特許文献】
【０００３】
【特許文献１】特開２００４−１１４８７９号公報
【発明の概要】
【発明が解決しようとする課題】
【０００４】
ところで、上述した特許文献１に記載された従来の技術においては、後退開始位置、目標駐車位置、駐車途中位置、操舵連動線、及び理想進路予想線の全てが俯瞰映像上に表示されることから、いずれの線に合わせて駐車行為を行えばよいのかを運転者が把握しにくく、当該運転者に混乱を与えるという問題があった。
【０００５】
そこで、本発明は、上述した実情に鑑みて提案されたものであり、駐車の全体経路のイメージを保有したまま、見やすい画面表示を提供し、運転者が操舵すべき内容を容易に把握することが可能となる駐車支援装置及び駐車支援方法を提供することを目的とする。
【課題を解決するための手段】
【０００６】
本発明は、自車両周囲を複数の車載カメラで撮影し、撮影された複数の映像を繋ぎ合わせるとともに自車両の上方から見下ろした俯瞰映像を生成し、生成された俯瞰映像と、自車両を示す自車両マークと、自車両が所定の目標駐車位置へ後退する途中でステアリング転舵を行うための転舵位置に対応するとともに自車両の外形形状に相当する転舵枠とを表示手段に表示する。
【発明の効果】
【０００７】
本発明によれば、駐車の全体経路のイメージを保有したまま、見やすい画面表示を提供することができ、運転者が操舵すべき内容を容易に把握することが可能となる。
【図面の簡単な説明】
【０００８】
【図１】本発明の実施形態として示す駐車支援装置の構成について示すブロック図である。
【図２】本発明の実施形態として示す駐車支援装置におけるカメラ装置の自車両に対する取り付け例を示す図である。
【図３】本発明の実施形態として示す駐車支援装置におけるディスプレイの表示例を示す図である。
【図４】自車両左側に位置する目標駐車位置に向かって縦列駐車を行う場合に本発明の実施形態として示す駐車支援装置において算出される駐車軌跡の例を示す図である。
【図５】駐車開始位置に位置する自車両を前進させて後退開始位置に移動させる際にディスプレイに表示される表示例を示す図である。
【図６】駐車開始位置に位置する自車両を前進させて後退開始位置に移動させる際にディスプレイに表示される他の表示例を示す図である。
【図７】後退開始位置に位置する自車両を後退させて駐車途中位置に移動させる際にディスプレイに表示される表示例を示す図である。
【図８】駐車途中位置に位置する自車両を後退させて目標駐車位置に移動させる際にディスプレイに表示される表示例を示す図である。
【図９】図８に示す状態において、自車両の移動にともなって変化する理想進路予想線の様子を示す図である。
【発明を実施するための形態】
【０００９】
以下、本発明の好適な実施形態としての駐車支援装置について具体的に説明する。
【００１０】
［駐車支援装置の構成］
本発明の実施形態として示す駐車支援装置は、図１に示すように、自車両周囲の映像を撮像する複数のカメラ装置１１，１２，１３，１４と、これらカメラ装置１１，１２，１３，１４によって撮像された自車両周囲の映像を処理する画像処理コントローラ２１と、この画像処理コントローラ２１によって処理された映像を表示するディスプレイ２２とを備える。
【００１１】
カメラ装置１１，１２，１３，１４は、例えば小型で高画質の映像を撮像可能とされるＣＣＤ（Charge Coupled Devices）等を撮像素子として用いて構成され、自車両周囲３６０度の範囲を全て撮像できるように当該自車両に複数設けられる。具体的には、カメラ装置１１，１２，１３，１４は、例えば図２に示すように、自車両前方、自車両左右側方、及び自車両後方の４箇所に１台ずつ設けられ、当該自車両の前方、左右側方、及び後方の風景を撮像する。なお、カメラ装置１１，１２，１３，１４は、実際には非常に小型形状とされ、自車両の車体からはみ出ることなく、当該自車両内に複数設置又は車体等に組み込まれるようにして複数設置される。これらカメラ装置１１，１２，１３，１４によって撮像された映像は、電気信号として画像処理コントローラ２１に供給される。また、駐車支援装置は、自車両周囲３６０度の範囲を全て撮像できるのであれば、４台以上のカメラ装置を設けるようにしてもよい。
【００１２】
画像処理コントローラ２１は、複数のカメラ装置１１，１２，１３，１４によって撮像された映像情報に基づいて、あたかも自車両の真上に取り付けられた１台の仮想的なカメラ装置によって撮像したような映像に視点変換した俯瞰映像を作成する。このような機能を実現する画像処理コントローラ２１は、画像処理のコアとなるＤＳＰ（Digital Signal Processor）を搭載し、特定用途向け集積回路であるＡＳＩＣ（Applicant Specific Integrated Circuit）として設計したり、ＦＰＧＡ（Field Programmable Gate Array）によって実現することができる。なお、画像処理コントローラ２１は、自車両についてはカメラ装置１１，１２，１３，１４によって撮像することができないため、作成した俯瞰映像にＣＧ（Computer Graphics）や写真等を重畳描画することによって当該自車両を表現する。また、画像処理コントローラ２１は、作成した俯瞰映像の一部を拡大した俯瞰映像を作成することもできる。さらに、画像処理コントローラ２１は、所定の目標駐車位置に駐車を行う際に、当該目標駐車位置に自車両を誘導するための駐車軌跡を算出し、作成した俯瞰映像上に、駐車を行う際の後退開始位置、目標駐車位置、目標駐車位置へ後退する途中でステアリング転舵を行う（切り返す）ための駐車途中位置（以下、転舵位置ともいう。）、ステアリング操舵に連動した線である操舵連動線、及び目標駐車位置に至る理想的な進路予想線（以下、理想進路予想線という。）等を重畳描画する。このような画像処理コントローラ２１は、作成した映像をディスプレイ２２に表示させる。
【００１３】
ディスプレイ２２は、例えば自車両のダッシュボード付近に取り付けられた車載用の液晶ディスプレイ等から構成される。なお、このディスプレイ２２は、自車両のナビゲーションを行う際に地図情報等を表示するものと共用することができる。ディスプレイ２２は、画像処理コントローラ２１から供給された俯瞰映像を含む映像を表示画面に表示することにより、目標駐車位置に対する駐車を支援する情報を運転者に提示する。ここで、車載用のディスプレイ２２は、通常、横長の表示画面を有するものが多いのに対して、画像処理コントローラ２１によって作成される俯瞰映像は、前後方向に移動する自車両を表現するために縦長となる場合が多い。そのため、ディスプレイ２２の表示領域は、例えば図３に示すように、俯瞰映像を表示する俯瞰映像表示領域３１と、この俯瞰映像表示領域３１以外の非俯瞰映像表示領域３２とに大別される。そして、非俯瞰映像表示領域３２には、自車両前方のカメラ装置１１によって撮像された映像や自車両後方のカメラ装置１４によって撮像された映像等を表示する。これにより、ディスプレイ２２は、運転者にとって見やすく且つ駐車を行う際に必要な映像を表示することが可能となる。ただし、自車両の前進時に自車両前方のカメラ装置１１によって撮像された映像を表示するとともに、自車両の後退時には、自車両後方のカメラ装置１４によって撮像された映像に切り替えて表示する構成を考えると、これらカメラ装置１１，１４は、通常、自車両に対する取り付け高さや取り付け角度が同程度であることから、その映像が区別しにくいものとなることが多い。そのため、ディスプレイ２２には、いずれの映像であるかを識別するための情報を表示するようにしてもよい。
【００１４】
［駐車支援装置の動作］
このような各部を備える駐車支援装置は、作成した俯瞰映像上に、駐車を行う際の後退開始位置、目標駐車位置、駐車途中位置、操舵連動線、及び理想進路予想線等を重畳描画し、目標駐車位置に対する駐車を支援する情報を運転者に提示する。以下、縦列駐車を行う場合を例にとり、駐車支援装置の処理について説明する。
【００１５】
図４に示すように、駐車開始位置４１に自車両を停車させ、自車両左側に位置する目標駐車位置４４に向かって縦列駐車を行う場合を考える。かかる縦列駐車を行うにあたっては、第１のステップとして、ある一定量ステアリングを回転操舵して、駐車開始位置４１に位置する自車両の右側に半径Ｒ１の距離だけ離れた位置にある第１の回転中心４５を中心とし、後退開始位置４２に自車両を移動させる。続いて、自車両を後退開始位置４２に移動させた後、第２のステップとして、ある一定量ステアリングを回転操舵して、後退開始位置４２に位置する自車両の左側にある位置であって第１の回転中心４５から半径Ｒ２の距離だけ離れた位置にある第２の回転中心４６を中心とし、駐車途中位置４３に自車両を移動させる。最後に、第３のステップとして、ある一定量ステアリングを回転操舵して、駐車途中位置４３に位置する自車両の右側にある位置であって目標駐車位置４４の左縁から半径Ｒ３の距離だけ離れた位置にある第３の回転中心４７を中心とし、目標駐車位置４４に自車両を移動させる。これにより、自車両は、縦列駐車を完了させることができる。
【００１６】
ここで、操舵連動線や理想進路予想線を含む駐車開始位置４１から目標駐車位置４４に至る駐車経路と、後退開始位置４２、駐車途中位置４３、及び目標駐車位置４４を示す枠線とを全て俯瞰映像上に表示しようとすると、駐車に必要な経路が全て把握できる反面、多数の線が表示されてしまい、特に駐車が不得手な運転者にとっては非常にわかりにくくなるという問題が生じる。
【００１７】
そこで、駐車支援装置においては、各駐車位置について、次に移動すべき目標の停止位置と、そこに到達するための目標舵角とを俯瞰映像上に表示し、駐車の支援を簡便に行うとともに、運転者が容易に経路を理解可能とする情報を提示する。
【００１８】
［第１のステップにおける表示内容］
まず、上述した第１のステップとして駐車開始位置４１に位置する自車両を前進させて後退開始位置４２に移動させる際に、ディスプレイ２２に表示する線について説明する。
【００１９】
このとき、画像処理コントローラ２１は、目標駐車位置４４に自車両を誘導するための駐車軌跡を算出すると、例えば図５に示すように、次に移動すべき目標の停車位置である後退開始位置４２の枠線と、この後退開始位置４２に至る理想進路予想線５１と、自車両のステアリング舵角に連動した操舵連動線５２とを、俯瞰映像上に表示させるように、これらの情報を作成する。なお、図５においては、ステアリングが中立の状態であり、操舵連動線５２が自車両前方に直線状に延びている様子を示しているが、この直線状の操舵連動線５２は、ステアリングの操舵とともに変化する。すなわち、画像処理コントローラ２１は、ステアリングの操舵に応じて、操舵連動線５２を算出する。自車両は、この図５に示す状態から、運転者がステアリングを右方向に操舵して、操舵連動線５２が理想進路予想線５１に重なった状態でステアリングを固定して前進すると、後退開始位置４２に向かって適切に移動することができる。
【００２０】
駐車支援装置においては、第１のステップの場合には、このような情報をディスプレイ２２に表示させることにより、ステアリングをどの程度操舵すればよいのか、及び、どの位置が後退開始位置４２になるのかといった駐車の支援となる情報を、運転者に明確に把握させることができる。
【００２１】
なお、目標駐車位置４４については、駐車の全体経路を運転者にイメージさせるためには必要な枠線であるが、常に他の線と同時に表示されていると、運転者に次に移動すべき目標の停車位置の枠線と紛らわしく感じさせることもある。そこで、駐車支援装置においては、画像処理コントローラ２１の制御のもとに、自車両停止中は目標駐車位置４４の枠線をディスプレイ２２に表示する一方で、自車両移動中は当該目標駐車位置４４の枠線をディスプレイ２２に表示させない等、表示の切り替えを行うようにしてもよい。
【００２２】
また、画像処理コントローラ２１は、図５に示すような理想進路予想線５１及びステアリング操舵に連動した操舵連動線５２の表示に代えて、図６に示すように、後退開始位置４２に至る理想的なタイヤの切れ角を示す理想タイヤ切れ角線６１と、ステアリング操舵に連動したタイヤの切れ角を示すタイヤ切れ角連動線６２とを、俯瞰映像上に表示させるように、これらの情報を作成するようにしてもよい。これにより、駐車支援装置においては、表示する線の長さが図５に示した場合に比べて短くて済み、必要な情報をシンプルに運転者に見せることができる。
【００２３】
さらに、図５では、自車両の後輪の軌跡が変化する様子を表示するものとして説明したが、画像処理コントローラ２１は、自車両前端の角度の軌跡や矢印等のアイコン表示により、ステアリングの切れ角を表現するようにしてもよい。
【００２４】
すなわち、駐車支援装置においては、後退開始位置４２に至るまでにステアリングをどの程度操舵すればよいのか、及び、現在ステアリングをどの程度操舵しているのかといった情報を運転者に把握させることができ、且つ、自車両が前方に移動することを運転者に把握させることができる表示内容であれば、任意の情報をディスプレイ２２に表示させればよい。
【００２５】
［第２のステップにおける表示内容］
つぎに、上述した第２のステップとして後退開始位置４２に位置する自車両を後退させて駐車途中位置４３に移動させる際に、ディスプレイ２２に表示する線について説明する。
【００２６】
このとき、画像処理コントローラ２１は、例えば図７に示すように、次に移動すべき目標の停車位置である駐車途中位置４３の枠線（上記転舵位置に対応した転舵枠ともいう。）と、この駐車途中位置４３に至る理想進路予想線７１と、自車両のステアリング舵角に連動した操舵連動線７２とを、俯瞰映像上に表示させるように、これらの情報を作成する。このとき、画像処理コントローラ２１は、自車両前進時に表示した、先に図５に示したような理想進路予想線５１及び操舵連動線５２を表現するマークとは異なるマークを用いて、理想進路予想線７１及び操舵連動線７２を俯瞰映像上に表示させるように、これらの情報を作成する。なお、図７においては、自車両が後退開始位置４２に停車した状態であり、ステアリングがある一定量右方向に操舵されていることから、操舵連動線７２は右方向に弧を描くように表示されている様子を示しているが、この弧状の操舵連動線７２も、ステアリングの操舵とともに変化する。すなわち、画像処理コントローラ２１は、ステアリングの操舵に応じて、操舵連動線７２を算出する。自車両は、この図７に示す状態から、操舵連動線７２が理想進路予想線７１に重なるように運転者がステアリングを左方向に操舵して、これら操舵連動線７２と理想進路予想線７１とが重なった状態でステアリングを固定して後退すると、駐車途中位置４３に向かって適切に移動することができる。
【００２７】
駐車支援装置においては、第２のステップの場合には、自車両前進時には次に移動すべき目標の停車位置の枠線と操舵連動線及び理想進路予想線とを所定のマークを用いてディスプレイ２２に表示させ、自車両後退時には次に移動すべき目標の停車位置の枠線と操舵連動線及び理想進路予想線とを、前進時とは異なるマークを用いてディスプレイ２２に表示させることにより、画面表示をシンプルに構成することができ、且つ、駐車途中位置４３に至るまでの駐車の経路を運転者が想起しやすい情報を提示することができる。また、駐車支援装置においては、前進と後退との区別や、ステアリングをどの程度操舵しているのかといった駐車の支援となる情報を、運転者に明確に把握させることができる。
【００２８】
また、画像処理コントローラ２１は、図７に示すような理想進路予想線７１及びステアリング操舵に連動した操舵連動線７２の表示に代えて、特に図示しないが、先に図６に示したような理想タイヤ切れ角線やタイヤ切れ角連動線を俯瞰映像上に表示させるように、これらの情報を作成するようにしてもよい。
【００２９】
さらに、図７では、自車両の後輪の軌跡が変化する様子を表示するものとして説明したが、画像処理コントローラ２１は、自車両後端の角度の軌跡や矢印等のアイコン表示により、ステアリングの切れ角を表現するようにしてもよい。
【００３０】
［第３のステップにおける表示内容］
最後に、上述した第３のステップとして駐車途中位置４３に位置する自車両を後退させて目標駐車位置４４に移動させる際に、ディスプレイ２２に表示する線について説明する。
【００３１】
このとき、画像処理コントローラ２１は、図７を用いて説明した表示内容と略同様の表示内容となるように情報を作成する。すなわち、画像処理コントローラ２１は、例えば図８に示すように、次に移動すべき目標の停車位置である目標駐車位置４４の枠線と、この目標駐車位置４４に至る理想進路予想線８１と、自車両のステアリング舵角に連動した操舵連動線８２とを、俯瞰映像上に表示させるように、これらの情報を作成する。このとき、画像処理コントローラ２１は、自車両前進時に表示した、先に図５に示したような理想進路予想線５１及び操舵連動線５２を表現するマークとは異なるマークを用いて、理想進路予想線８１及び操舵連動線８２を俯瞰映像上に表示させるように、これらの情報を作成する。なお、図８においては、自車両が駐車途中位置４３に停車した状態であり、ステアリングがある一定量左方向に操舵されていることから、操舵連動線８２は左方向に弧を描くように表示されている様子を示しているが、この弧状の操舵連動線８２も、ステアリングの操舵とともに変化する。すなわち、画像処理コントローラ２１は、ステアリングの操舵に応じて、操舵連動線８２を算出する。
【００３２】
自車両は、この図８に示す状態から、図９（ａ）に示すように、操舵連動線８２が理想進路予想線８１に重なるように運転者がステアリングを右方向に操舵して、これら操舵連動線８２と理想進路予想線８１とが重なった状態で、図９（ｂ）に示すように、ステアリングを固定して後退すると、図９（ｃ）に示すように、目標駐車位置４４に向かって移動し、最終的には図９（ｄ）に示すように、目標駐車位置４４に到達することになる。
【００３３】
なお、画像処理コントローラ２１は、図９（ｄ）に示すように、自車両の位置を示すマーク（自車両マーク）と目標駐車位置４４とが略重複すると、目標駐車位置４４を消去する。このように目標駐車位置４４を消去するのは、目標駐車位置４４の前後には他車両が停止している可能性があることや、現実の地面上に白線が描画されている可能性があることに起因して、目標駐車位置４４を表示する必要性が低いためである。
【００３４】
駐車支援装置においては、第３のステップの場合には、このような情報をディスプレイ２２に表示させることにより、画面表示をシンプルに構成することができ、且つ、目標駐車位置４４に至るまでの駐車の経路を運転者が想起しやすい情報を提示することができる。また、駐車支援装置においては、前進と後退との区別や、ステアリングをどの程度操舵しているのかといった駐車の支援となる情報を、運転者に明確に把握させることができる。
【００３５】
なお、画像処理コントローラ２１は、上述したように、図８に示すような理想進路予想線８１及びステアリング操舵に連動した操舵連動線８２の表示に代えて、特に図示しないが、先に図６に示したような理想タイヤ切れ角線やタイヤ切れ角連動線を俯瞰映像上に表示させるように、これらの情報を作成するようにしてもよい。
【００３６】
また、図８及び図９では、自車両の後輪の軌跡が変化する様子を表示するものとして説明したが、画像処理コントローラ２１は、自車両後端の角度の軌跡や矢印等のアイコン表示により、ステアリングの切れ角を表現するようにしてもよい。
【００３７】
このように、駐車支援装置においては、駐車の各段階毎に、次に移動すべき目標の停車位置と、操舵連動線及び理想進路予想線を俯瞰映像上に表示することにより、いずれの線に合わせてステアリングを操舵したり自車両を移動させたりすればよいのかを運転者が容易に把握することができる。そのため、駐車支援装置においては、駐車の全体経路のイメージを保有したまま、見やすい画面表示を提供し、且つ、前進と後退との区別やステアリングの操舵状態を運転者に明確且つ容易に把握させることができる。特に、駐車支援装置においては、全ての線を同時にディスプレイ２２に表示しないことから、当該ディスプレイ２２上での障害物の見え方に大きな歪みが生じたり、理想進路予想線や操舵連動線等の駐車軌跡線や駐車位置の枠線等が非常に小さくなったりして、視認しにくくなるのを防止することができる。
【００３８】
また、駐車支援装置においては、画像処理コントローラ２１の制御のもとに、俯瞰映像上に表示する理想進路予想線や操舵連動線を示すマークを、自車両前進時と後退時とで異なるように表示させることにより、俯瞰映像表示領域３１に表示される俯瞰映像が固定であり、また、非俯瞰映像表示領域３２に表示される映像が自車両前方のカメラ装置１１によって撮像されたものであるか自車両後方のカメラ装置１４によって撮像されたものであるかを区別しにくい場合であっても、現在自車両が前進しているのか後退しているのかを運転者が瞬時に判断することができる。
【００３９】
なお、上述の実施形態では、自車両左側に位置する目標駐車位置４４に向かって縦列駐車を行う場合について説明したが、駐車支援装置は、自車両右側に位置する目標駐車位置に向かって縦列駐車を行う場合にも同様に適用することができ、また、自車両の左側又は右側に位置する目標駐車位置に向かって並列駐車を行う場合にも同様に適用することができる。
【００４０】
また、駐車支援装置においては、駐車を容易に行わせるために、画像処理コントローラ２１の制御のもとに、俯瞰映像上に表示する枠線を、後退開始位置４２と駐車途中位置４３とについては、自車両の車幅よりも広い幅でディスプレイ２２に表示し、目標駐車位置４４については、自車両の車幅と同幅でディスプレイ２２に表示するのが望ましい。後退開始位置４２及び駐車途中位置４３を自車両の車幅よりも広い幅でディスプレイ２２に表示するのは、次に移動すべき目標の後退開始位置４２及び駐車途中位置４３に自車両を移動させる際に、自車両と同幅の枠線に一致するように停止させるよりも、枠線内に停車させる方が運転者にとってわかりやすいためである。一方、目標駐車位置４４を自車両の車幅と同幅でディスプレイ２２に表示するのは、目標駐車位置４４は駐車位置の設定時にも利用するものであり、自車両と同幅にしないと運転者にとってわかりにくいためである。また、かかる表示を行う理由としては、後退開始位置４２及び駐車途中位置４３に自車両を移動させる場合には、現実の地面上に描画されている枠線や周囲の他車両をターゲットとして自車両を移動させることができず、その位置に自車両を移動させるまで、後退開始位置４２及び駐車途中位置４３を示す枠線を表示し続けなければならないのに対して、目標駐車位置４４に自車両を移動させる場合には、現実の地面上に描画されている枠線や周囲の他車両をターゲットとして自車両を移動させることができるため、その位置に自車両が近付いた場合には周囲との位置関係をわかりやすくした方が駐車を行いやすくなり、目標駐車位置４４を示す枠線の表示を消去してもよいためである。
【００４１】
さらに、駐車支援装置においては、自車両のシフト信号と車速Ｖとに応じて、表示内容を変更するようにしてもよい。具体的には、画像処理コントローラ２１は、シフト信号がリバース（後退）以外であり、車速がＶ＞０の場合には、次に移動すべき目標の停車位置の枠線と、ステアリング操舵に連動した操舵連動線やタイヤ切れ角連動線等の駐車軌跡線とをディスプレイ２２に表示させ、車速がＶ＝０の場合には、これら情報に加えて目標駐車位置の枠線をディスプレイ２２に表示させる。また、画像処理コントローラ２１は、シフト信号がリバースであり、車速がＶ＞０の場合には、次に移動すべき目標の停車位置の枠線と、ステアリング操舵に連動した操舵連動線やタイヤ切れ角連動線等の駐車軌跡線とをディスプレイ２２に表示させ、車速がＶ＝０の場合には、これら情報に加えて、目標駐車位置の枠線と、理想進路予想線や理想タイヤ切れ角線等の操舵指示の軌跡線とをディスプレイ２２に表示させる。このように、駐車支援装置においては、車速がＶ＝０の場合に目標駐車位置４４の枠線をディスプレイ２２に表示させることにより、現在自車両が駐車経路のどの段階にいるのかを運転者に把握させやすくすることができる。また、画像処理コントローラ２１は、車速ＶがＶ＝０からＶ＞０に遷移して自車両が移動を開始した場合には、目標駐車位置４４の枠線をディスプレイ２２に所定時間だけ表示させた後、消去するのが望ましい。これにより、駐車支援装置においては、自車両の移動開始後すぐに目標駐車位置４４の枠線がディスプレイ２２から消えてしまうことによる運転者の混乱を防止することができる。
【００４２】
さらにまた、駐車支援装置においては、自車両が次に移動すべき目標の停車位置に近付くにしたがって、画像処理コントローラ２１の制御のもとに、操舵連動線の長さを短くしてディスプレイ２２に表示させるようにしてもよい。これにより、駐車支援装置においては、次に移動すべき目標の停車位置との距離を測ることができるとともに、表示される操舵連動線の表示を単純化することによって運転者に煩雑な感を与えるのを防止することができる。
【００４３】
また、駐車支援装置においては、画像処理コントローラ２１の制御のもとに、次に自車両が移動すべき目標の停車位置又は目標駐車位置４４に自車両が近付いている旨を音又は映像以外の手段によって運転者に報知させるのが望ましい。これにより、駐車支援装置においては、周囲状況を運転者自身が目視によって確認している場合であっても、現在自車両が駐車経路のどの段階にいるのかを運転者に判断させることができる。
【００４４】
以上詳細に説明したように、本発明の実施形態として示した駐車支援装置においては、画像処理コントローラ２１の制御のもとに、複数のカメラ装置１１，１２，１３，１４によって撮像された映像に基づいて、自車両の真上から撮像した映像に視点変換した俯瞰映像を作成し、作成した俯瞰映像上に、目標駐車位置４４に自車両を誘導するための駐車軌跡のうち、駐車の各段階毎に、次に自車両が移動すべき目標の停車位置と、当該停車位置までの駐車軌跡線とをディスプレイ２２に表示させる。これにより、この駐車支援装置においては、駐車の全体経路のイメージを保有したまま、見やすい画面表示を提供することができ、運転者が操舵すべき内容を容易に把握することが可能となる。
【００４５】
また、この駐車支援装置においては、画像処理コントローラ２１の制御のもとに、駐車軌跡線として、ステアリング操舵に連動した線である操舵連動線と、次に自車両が移動すべき目標の停車位置に至る理想的な進路予想線である理想進路予想線とをディスプレイ２２に表示させることにより、いずれの線に合わせてステアリングを操舵したり自車両を移動させたりすればよいのかを運転者が容易に把握することができる。
【００４６】
さらに、この駐車支援装置においては、画像処理コントローラ２１の制御のもとに、駐車軌跡線として、ステアリング操舵に連動したタイヤの切れ角を示すタイヤ切れ角連動線と、次に自車両が移動すべき目標の停車位置に至る理想的なタイヤの切れ角を示す理想タイヤ切れ角線とをディスプレイ２２に表示させることにより、ディスプレイ２２に表示する線の長さが短くて済み、必要な情報をシンプルに運転者に見せることができる上、次に自車両が移動すべき目標の停車位置とステアリングの操舵量とを運転者が明確に把握することができ、駐車行為を容易にさせることができる。
【００４７】
さらにまた、この駐車支援装置においては、画像処理コントローラ２１の制御のもとに、自車両のシフト信号がリバース以外であり、車速ＶがＶ＞０の場合には、次に自車両が移動すべき目標の停車位置と、ステアリング操舵に連動した駐車軌跡線とをディスプレイ２２に表示させ、車速ＶがＶ＝０の場合には、次に自車両が移動すべき目標の停車位置と、ステアリング操舵に連動した駐車軌跡線と、目標駐車位置４４とをディスプレイ２２に表示させる。また、この駐車支援装置においては、画像処理コントローラ２１の制御のもとに、自車両のシフト信号がリバースであり、車速ＶがＶ＞０の場合には、次に自車両が移動すべき目標の停車位置と、ステアリング操舵に連動した駐車軌跡線とをディスプレイ２２に表示させ、車速ＶがＶ＝０の場合には、次に自車両が移動すべき目標の停車位置と、操舵指示の駐車軌跡線と、目標駐車位置４４とをディスプレイ２２に表示させる。これにより、この駐車支援装置においては、車速がＶ＝０の場合に目標駐車位置４４の枠線をディスプレイ２２に表示させることにより、現在自車両が駐車経路のどの段階にいるのかを運転者に把握させやすくすることができる。
【００４８】
また、この駐車支援装置においては、画像処理コントローラ２１の制御のもとに、車速ＶがＶ＝０からＶ＞０に遷移して自車両が移動を開始した場合には、目標駐車位置４４をディスプレイ２２に所定時間だけ表示させた後、消去することにより、自車両の移動開始後すぐに目標駐車位置４４の枠線がディスプレイ２２から消えてしまうことによる運転者の混乱を防止することができる。
【００４９】
さらに、この駐車支援装置においては、画像処理コントローラ２１の制御のもとに、次に自車両が移動すべき目標の停車位置を、当該自車両の車幅よりも広い幅でディスプレイ２２に表示させ、目標駐車位置４４を、当該自車両の車幅と同幅でディスプレイ２２に表示させることにより、運転者にとって極めてわかりやすい画面表示を提供することができる。
【００５０】
さらにまた、この駐車支援装置においては、画像処理コントローラ２１の制御のもとに、次に自車両が移動すべき目標の停車位置が目標駐車位置４４である場合には、当該目標駐車位置４４に自車両が近付いたときに、ディスプレイ２２に表示されている当該目標駐車位置４４を消去することにより、現実の地面上に描画されている枠線や周囲の他車両と自車両との位置関係を運転者に明確に把握させることができ、駐車行為を容易にさせることができる。
【００５１】
また、この駐車支援装置においては、画像処理コントローラ２１の制御のもとに、次に自車両が移動すべき目標の停車位置に当該自車両が近付くにしたがって、駐車軌跡線のうち、ステアリング操舵に連動した線である操舵連動線の長さを短くしてディスプレイ２２に表示させることにより、次に移動すべき目標の停車位置との距離を測ることができるとともに、表示される操舵連動線の表示を単純化することによって運転者に煩雑な感を与えるのを防止することができる。
【００５２】
さらに、この駐車支援装置においては、画像処理コントローラ２１の制御のもとに、次に自車両が移動すべき目標の停車位置又は目標駐車位置４４に当該自車両が近付いている旨を音又は映像以外の手段によって運転者に報知することにより、周囲状況を運転者自身が目視によって確認している場合であっても、現在自車両が駐車経路のどの段階にいるのかを運転者に判断させることができる。
【００５３】
また、この駐車支援装置においては、画像処理コントローラ２１の制御のもとに、駐車軌跡線を表現するマークを自車両の前進時と後退時とで異なるようにディスプレイ２２に表示させるので、前進と後退との区別を運転者に明確且つ容易に把握させることができる。
【００５４】
なお、上述の実施の形態は本発明の一例である。このため、本発明は、上述の実施の形態に限定されることはなく、この実施の形態以外の形態であっても、本発明に係る技術的思想を逸脱しない範囲であれば、設計などに応じて種々の変更が可能であることは勿論である。
【符号の説明】
【００５５】
１１，１２，１３，１４  カメラ装置
２１  画像処理コントローラ
２２  ディスプレイ
３１  俯瞰映像表示領域
３２  非俯瞰映像表示領域
４１  駐車開始位置
４２  後退開始位置
４３  駐車途中位置
４４  目標駐車位置
４５  第１の回転中心
４６  第２の回転中心
４７  第３の回転中心
５１，７１，８１  理想進路予想線
５２，７２，８２  操舵連動線
６１  理想タイヤ切れ角線
６２  タイヤ切れ角連動線
【図１】
2012051574.tif 000003
【図２】
2012051574.tif 000004
【図３】
2012051574.tif 000005
【図４】
2012051574.tif 000006
【図５】
2012051574.tif 000007
【図６】
2012051574.tif 000008
【図７】
2012051574.tif 000009
【図８】
2012051574.tif 000010
【図９】
2012051574.tif 000011
【手続補正書】
【提出日】平成23年11月14日(2011.11.14)
【手続補正１】
【補正対象書類名】特許請求の範囲
【補正対象項目名】全文
【補正方法】変更
【補正の内容】
【特許請求の範囲】
【請求項１】
自車両周囲を撮影する複数の車載カメラと、
前記複数の車載カメラで撮影された複数の映像を繋ぎ合わせるとともに前記自車両の上方から見下ろした俯瞰映像を生成する俯瞰映像生成手段と、
前記生成された俯瞰映像と、前記自車両を示す自車両マークと、所定の目標駐車位置の枠線と、前記自車両が前記目標駐車位置へ移動する途中でステアリング転舵を行うための転舵位置に対応するとともに前記自車両の外形形状に相当する転舵枠と、を表示する表示手段と、
前記転舵枠を、当該自車両の車幅よりも広い幅で前記俯瞰映像上に表示させ、前記目標駐車位置の枠線を、当該自車両の車幅と同幅で前記俯瞰映像上に表示させる画像処理制御手段と、
を備えることを特徴とする駐車支援装置。
【請求項２】
前記転舵枠が前記自車両の車幅よりも広い幅を有することを特徴とする請求項１記載の駐車支援装置。
【請求項３】
前記転舵枠の形状が矩形形状であることを特徴とする請求項１又は請求項２記載の駐車支援装置。
【請求項４】
前記画像処理制御手段は、前記表示手段に、前記転舵枠と前記転舵位置までの駐車軌跡線とを前記俯瞰映像上に表示させることを特徴とする請求項１乃至請求項３のうちいずれか１項記載の駐車支援装置。
【請求項５】
前記画像処理制御手段は、前記駐車軌跡線として、ステアリング操舵に連動した線である操舵連動線と、次に前記自車両が移動すべき前記転舵位置に至る理想的な進路予想線である理想進路予想線とを前記表示手段に表示させることを特徴とする請求項４記載の駐車支援装置。
【請求項６】
前記画像処理制御手段は、前記駐車軌跡線として、ステアリング操舵に連動したタイヤの切れ角を示すタイヤ切れ角連動線と、次に前記自車両が移動すべき前記転舵位置に至る理想的なタイヤの切れ角を示す理想タイヤ切れ角線とを前記表示手段に表示させることを特徴とする請求項４記載の駐車支援装置。
【請求項７】
前記画像処理制御手段は、
前記自車両のシフト信号がリバース以外であり、車速ＶがＶ＞０の場合には、次に前記自車両が移動すべき前記転舵位置の前記転舵枠と、ステアリング操舵に連動した駐車軌跡線とを前記表示手段に表示させ、車速ＶがＶ＝０の場合には、次に前記自車両が移動すべき前記転舵位置の前記転舵枠と、ステアリング操舵に連動した駐車軌跡線と、前記目標駐車位置の枠線とを前記表示手段に表示させ、
前記自車両のシフト信号がリバースであり、車速ＶがＶ＞０の場合には、次に前記自車両が移動すべき前記転舵位置の前記転舵枠と、ステアリング操舵に連動した駐車軌跡線とを前記表示手段に表示させ、車速ＶがＶ＝０の場合には、次に前記自車両が移動すべき前記転舵位置の前記転舵枠と、操舵指示の駐車軌跡線と、前記目標駐車位置の枠線とを前記表示手段に表示させること
を特徴とする請求項４乃至請求項６のうちいずれか１項記載の駐車支援装置。
【請求項８】
前記画像処理制御手段は、車速ＶがＶ＝０からＶ＞０に遷移して前記自車両が移動を開始した場合には、前記目標駐車位置の枠線を前記表示手段に所定時間だけ表示させた後、消去することを特徴とする請求項７記載の駐車支援装置。
【請求項９】
前記画像処理制御手段は、前記目標駐車位置の枠線を、当該自車両の車幅と同幅で前記表示手段に表示させることを特徴とする請求項４乃至請求項８のうちいずれか１項記載の駐車支援装置。
【請求項１０】
前記画像処理制御手段は、次に前記自車両が移動すべき前記転舵位置に当該自車両が近付くにしたがって、前記駐車軌跡線のうち、ステアリング操舵に連動した線である操舵連動線の長さを短くして前記表示手段に表示させることを特徴とする請求項４乃至請求項９のうちいずれか１項記載の駐車支援装置。
【請求項１１】
前記画像処理制御手段は、次に前記自車両が移動すべき前記転舵位置又は前記目標駐車位置に当該自車両が近付いている旨を音又は映像以外の手段によって運転者に報知させることを特徴とする請求項４乃至請求項１０のうちいずれか１項記載の駐車支援装置。
【請求項１２】
前記画像処理制御手段は、前記駐車軌跡線を表現するマークを、前記自車両の前進時と後退時とで異なるように前記表示手段に表示させることを特徴とする請求項４乃至請求項１１のうちいずれか１項に記載の駐車支援装置。
【請求項１３】
自車両周囲を複数の車載カメラで撮影する撮影工程と、
撮影された複数の映像を繋ぎ合わせるとともに前記自車両の上方から見下ろした俯瞰映像を生成する俯瞰映像生成工程と、
生成された俯瞰映像と、前記自車両を示す自車両マークと、所定の目標駐車位置の枠線と、前記自車両が前記目標駐車位置へ後退する途中でステアリング転舵を行うための転舵位置に対応するとともに前記自車両の外形形状に相当する転舵枠と、を表示手段に表示する表示工程と、
前記転舵枠を、当該自車両の車幅よりも広い幅で前記俯瞰映像上に表示させ、前記目標駐車位置の枠線を、当該自車両の車幅と同幅で前記俯瞰映像上に表示させる画像処理制御工程と、
を備えることを特徴とする車両用駐車支援方法。
【請求項１４】
自車両を所定の目標駐車位置に駐車させるために運転者に操作の支援となる情報を提示する駐車支援装置において、
前記自車両周囲の映像を撮像する複数の撮像手段と、
前記複数の撮像手段によって撮像された映像に基づいて、前記自車両の真上から撮像した映像に視点変換した俯瞰映像を生成し、生成した前記俯瞰映像上に、前記自車両を示す自車両マークと、前記目標駐車位置に自車両を誘導するための駐車軌跡のうち、駐車の各段階毎に、次に前記自車両が移動すべき目標の停車位置に対応するとともに前記自車両の外形形状に相当する枠線と、当該停車位置までの駐車軌跡線とを所定の表示手段に表示させる画像処理制御手段と、を備え、
前記画像処理制御手段は、次に前記自車両が移動すべき目標の停車位置の枠線を、当該自車両の車幅よりも広い幅で前記表示手段に表示させ、前記目標駐車位置の枠線を、当該自車両の車幅と同幅で前記表示手段に表示させる
ことを特徴とする駐車支援装置。
【請求項１５】
前記画像処理制御手段は、前記駐車軌跡線として、ステアリング操舵に連動した線である操舵連動線と、次に前記自車両が移動すべき目標の停車位置に至る理想的な進路予想線である理想進路予想線とを前記表示手段に表示させることを特徴とする請求項１４記載の駐車支援装置。
【請求項１６】
前記画像処理制御手段は、前記駐車軌跡線として、ステアリング操舵に連動したタイヤの切れ角を示すタイヤ切れ角連動線と、次に前記自車両が移動すべき目標の停車位置に至る理想的なタイヤの切れ角を示す理想タイヤ切れ角線とを前記表示手段に表示させることを特徴とする請求項１４記載の駐車支援装置。
【請求項１７】
前記画像処理制御手段は、
前記自車両のシフト信号がリバース以外であり、車速ＶがＶ＞０の場合には、次に前記自車両が移動すべき目標の停車位置と、ステアリング操舵に連動した駐車軌跡線とを前記表示手段に表示させ、車速ＶがＶ＝０の場合には、次に前記自車両が移動すべき目標の停車位置の枠線と、ステアリング操舵に連動した駐車軌跡線と、前記目標駐車位置の枠線とを前記表示手段に表示させ、
前記自車両のシフト信号がリバースであり、車速ＶがＶ＞０の場合には、次に前記自車両が移動すべき目標の停車位置の枠線と、ステアリング操舵に連動した駐車軌跡線とを前記表示手段に表示させ、車速ＶがＶ＝０の場合には、次に前記自車両が移動すべき目標の停車位置の枠線と、操舵指示の駐車軌跡線と、前記目標駐車位置の枠線とを前記表示手段に表示させること
を特徴とする請求項１４乃至請求項１６のうちいずれか１項記載の駐車支援装置。
【請求項１８】
前記画像処理制御手段は、車速ＶがＶ＝０からＶ＞０に遷移して前記自車両が移動を開始した場合には、前記目標駐車位置の枠線を前記表示手段に所定時間だけ表示させた後、消去することを特徴とする請求項１７記載の駐車支援装置。
【請求項１９】
前記画像処理制御手段は、次に前記自車両が移動すべき目標の停車位置が前記目標駐車位置である場合には、当該目標駐車位置に前記自車両が近付いたときに、前記表示手段に表示されている当該目標駐車位置の枠線を消去することを特徴とする請求項１４乃至請求項１８のうちいずれか１項記載の駐車支援装置。
【請求項２０】
前記画像処理制御手段は、次に前記自車両が移動すべき目標の停車位置に当該自車両が近付くにしたがって、前記駐車軌跡線のうち、ステアリング操舵に連動した線である操舵連動線の長さを短くして前記表示手段に表示させることを特徴とする請求項１４乃至請求項１９のうちいずれか１項記載の駐車支援装置。
【請求項２１】
前記画像処理制御手段は、次に前記自車両が移動すべき目標の停車位置又は前記目標駐車位置に当該自車両が近付いている旨を音又は映像以外の手段によって運転者に報知させることを特徴とする請求項１４乃至請求項１９のうちいずれか１項記載の駐車支援装置。
【請求項２２】
前記画像処理制御手段は、前記駐車軌跡線を表現するマークを、前記自車両の前進時と後退時とで異なるように前記表示手段に表示させることを特徴とする請求項１４乃至請求項２１のうちいずれか１項に記載の駐車支援装置。
【請求項２３】
自車両を所定の目標駐車位置に駐車させるために運転者に操作の支援となる情報を提示する駐車支援方法において、
前記自車両周囲の映像を撮像する複数の撮像手段によって撮像された映像に基づいて、前記自車両の真上から撮像した映像に視点変換した俯瞰映像を生成する俯瞰映像生成工程と、
前記俯瞰映像生成工程にて生成された前記俯瞰映像上に、前記自車両を示す自車両マークと、前記目標駐車位置に自車両を誘導するための駐車軌跡のうち、駐車の各段階毎に、次に前記自車両が移動すべき目標の停車位置に対応するとともに前記自車両の外形形状に相当する枠線と、当該停車位置までの駐車軌跡線とを所定の表示手段に表示させる表示工程と、
前記転舵枠を、当該自車両の車幅よりも広い幅で前記俯瞰映像上に表示させ、前記目標駐車位置の枠線を、当該自車両の車幅と同幅で前記俯瞰映像上に表示させる画像処理制御工程と、
を有することを特徴とする駐車支援方法。